(57)【要約】【課題】種類が異なって長さ寸法の相違した安定器に交換する場合にも、簡単な作業で対応することができる照明器具を提供する。【解決手段】安定器１の長手方向両端に取着部２を配設し、器具本体Ａの基板３には安定器１の両取着部２各々が結合される固定部４を配設し、両固定部４に両取着部２を各々結合させて安定器１を基板３の表側に取着固定してなる照明器具において、基板３における両固定部４を結ぶ直線Ｌ上で一方の固定部４ａを、種類の異なる安定器１の長さ相違寸法に対応した所定間隔で複数にして一連に配設した。【選択図】          図１
2004234886.tif 000002
【特許請求の範囲】
【請求項１】
安定器の長手方向両端に取着部を配設し、器具本体の基板には同安定器の両取着部各々が結合される固定部を配設し、両固定部に両取着部を各々結合させて安定器を基板の表側に取着固定してなる照明器具であって、基板における両固定部を結ぶ直線上で一方の固定部を、種類の異なる安定器の長さ相違寸法に対応した所定間隔で複数にして一連に配設してなる照明器具。
【請求項２】
一方の固定部を取着部がネジ止めされるものとなし、他方の固定部を取着部が引っ掛け係止されるものとなしたことを特徴とする請求項１記載の照明器具。
【請求項３】
ネジ止めされる方の固定部及びこの固定部に結合される取着部をいずれも貫通孔として形成し、両貫通孔となる取着部と固定部とに挿通される固定ネジによって、同取着部が固定部にネジ止めされるものとなしたことを特徴とする請求項２記載の照明器具。
【請求項４】
基板が金属板材料で形成されていて、ネジ止めされる方の固定部の貫通孔周縁にバーリング加工によって形成される筒状壁を基板の裏側へ突設し、取着部の貫通孔に表側から挿通される固定ネジをセルフタッピングネジで形成して、この固定ネジを前記筒状壁内にねじ込み挿通させることにより、同取着部が固定部にネジ止めされるものとなしたことを特徴とする請求項３記載の照明器具。
【請求項５】
基板が金属板材料で形成されていて、引っ掛け係止される方の固定部を基板に切り起こし加工を施して同基板の表側へ突出形成し、ネジ止めされる方の固定部を、種類の異なる安定器の長さ相違寸法に対応した所定間隔で複数にして一連に配設したことを特徴とする請求項２〜４のいずれか一つに記載の照明器具。
【請求項６】
引っ掛け係止される方の固定部を略Ｌ字状に突出形成し、この固定部に結合される取着部を安定器の長手方向端の裏側から突出される板材料で形成し、この取着部の先端部分が同固定部に挿入されて引っ掛け係止されるものとなしたことを特徴とする請求項５記載の照明器具。
【請求項７】
引っ掛け係止する方の取着部を表側へ開口した略コ字型にして突出形成し、この取着部の両側壁間で当接規制されて略Ｌ字状の固定部が係合されるようになしたことを特徴とする請求項６記載の照明器具。
【請求項８】
引っ掛け係止される方の固定部を安定器の巾方向に切り起こし折曲させて形成し、この固定部を略コ字型に形成される取着部の両側壁各々に当接されるよう対にして配設し、両固定部を相互に内側へ傾斜させて突出形成すると共に、各固定部の取着部が摺接係止される略Ｌ字状内側縁をその先端側へと基板から離れるように傾斜させて形成したことを特徴とする請求項７記載の照明器具。
【発明の詳細な説明】
【０００１】
【発明の属する技術分野】
本発明は、器具本体の基板に表側から安定器が取着される照明器具、詳しくはその安定器の取り付け構造に関するものである。
【０００２】
【従来の技術】
一般に、照明器具の安定器は器具本体内に納められている。しかしながら、照明器具が天井等に埋め込まれた状態に施工される埋め込み型である場合、安定器が器具本体内に納められていると、その点検や交換が困難となる。そこで、器具本体の基板の表側に安定器を取着して、この安定器を覆い隠すように反射板を取り付けた照明器具が提供されている。この場合、器具本体を天井等の施工個所から取り外すことなく反射板を取り外すだけで、安定器のメンテナンス作業を行うことができる。
【０００３】
そして、器具本体の基板の表側に安定器を取着する照明器具では、通常、図６に示す如く、安定器１の長手方向両端に取着部２を配設し、器具本体Ａの基板３に同安定器１の両取着部２各々が結合される固定部４を配設し、両固定部４に両取着部２を各々結合させて安定器１を基板３の表側に取着固定している。この場合は、取着部２及び固定部４がいずれも貫通孔で形成されており、両貫通孔となる取着部２と固定部４とに基板３の裏側から固定ボルト２３を挿通して、この固定ボルト２３に締付ナット２４を螺合させることにより、両固定部４に両取着部２を各々ネジ止め固定している。
【０００４】
したがって、この照明器具にあっては、安定器１が器具本体Ａの基板３の表側に取着固定されているので、同安定器１のメンテナンス作業を表側から行うことができる。しかしながら、この場合、安定器１を交換するために基板３から取り外す際等に、締付ナット２４を固定ボルト２３から外すと、この固定ボルト２３が同基板３の貫通孔となる固定部４から裏側へ抜け外れてしまうことがある。この場合には、安定器１を更めて取着する際に、固定ボルト２３を基板３の裏側から貫通孔となる固定部４に挿入してセットし直す必要があり、器具本体Ａを天井等の施工個所から取り外さなければならなくなってしまう。
【０００５】
又、図７に示す如く、安定器１及び端子台１３を給電部品台２５に固定して、この給電部品台２５を器具本体Ａの基板３の表側に取着固定してなる照明器具も知られている（特開２００２−１５６１７号公報参照）。この場合、給電部品台２５に安定器１を固定ボルト２３と締付ナット２４とでネジ止め固定し、端子台１３を同給電部品台２５に係止固定し、その後に、この給電部品台２５を基板３の表側に取着固定している。
【０００６】
その際、給電部品台２５の長手方向両端には取着部２が配設され、基板３にはこの両取着部２各々が結合される固定部４が配設されており、両固定部４に両取着部２を各々結合させて同給電部品台２５を基板３の表側に取着固定している。そして、一方の固定部４ａを取着部２ａがネジ止めされるものとなし、他方の固定部４ｂを取着部２ｂが引っ掛け係止されるものとなしている。この場合は、取着部２ｂを固定部４ｂに引っ掛け係止させた状態で、固定部４ａに取着部２ａがネジ止めされるものである。そして、ここでは、取着部２ａと固定部４ａとに基板３の裏側から固定ボルト２３を挿通し、この固定ボルト２３に蝶ナット２６を螺合させ表側から締め付けることにより、同固定部４ａに取着部２ａをネジ止め固定している。
【０００７】
更には、この場合、基板３の貫通孔となる固定部４ａにその裏側から挿通された固定ボルト２３には、この固定ボルト２３を同基板３に固定する締付ナット２４が螺合されている。したがって、この照明器具にあっては、安定器１が給電部品台２５と一体化されて器具本体Ａの基板３の表側に取着固定されているので、同安定器１のメンテナンス作業を表側から行うことができる。しかも、固定部４ａに挿通される固定ボルト２３は締付ナット２４で基板３に固定されているので、同基板３から給電部品台２５を取り外しても固定ボルト２３が同固定部４ａから裏側へ抜け外れることはない。しかしながら、この場合、安定器１を交換するために基板３から取り外す際、一体化された給電部品台２５全体を同基板３から取り外す必要がある。
【０００８】
【特許文献１】
特開２００２−１５６１７号公報
【０００９】
【発明が解決しようとする課題】
ところで、最近、この種の安定器は技術的な進歩により年々その小型化が図られており、又、安定器はその機能によって長手方向寸法が異なる場合も多い。そして、同じ寸法の安定器を交換する場合は、上記従来の技術に示した照明器具でも対応可能であるが、寸法の異なる安定器に交換する場合には、上記従来の技術に示したいずれの照明器具にあっても、その対応作業が困難となる。例えば、図６に示した照明器具では、器具本体Ａを天井等の施工個所から取り外し、同器具本体Ａの基板３に新たな固定部４として貫通孔を追加加工により形成しなければならず、このような作業を伴う交換は手間がかかって困難となる。又、図７に示した照明器具では、安定器１及び端子台１３を一体化した給電部品台２５全体を基板３から取り外し、この給電部品台２５から更に同安定器１を取り外さなければならず、このような作業を伴う交換は手間がかかって困難となる。
【００１０】
本発明は、上記従来の技術における問題を悉く解決するために発明されたもので、その課題は、種類が異なってその長さ寸法の相違した安定器に交換する場合にも、簡単な作業で対応することができる照明器具を提供することである。
【００１１】
【課題を解決するための手段】
本発明の請求項１記載の照明器具は、安定器の長手方向両端に取着部を配設し、器具本体の基板には同安定器の両取着部各々が結合される固定部を配設し、両固定部に両取着部を各々結合させて安定器を基板の表側に取着固定してなる照明器具であって、基板における両固定部を結ぶ直線上で一方の固定部を、種類の異なる安定器の長さ相違寸法に対応した所定間隔で複数にして一連に配設してなるものである。
【００１２】
したがって、この場合、安定器が器具本体の基板の表側に取着固定されているので、同安定器のメンテナンス作業を表側から行うことができる。しかも、一方の固定部が基板における両固定部を結ぶ直線上で複数にして一連に配設され、同一方の各固定部は種類の異なる安定器の長さ相違寸法に対応した所定間隔で一連とされているので、種類が異なってその長さ寸法の相違した安定器に交換する場合にも、この交換で更めて取り付けられる安定器の長さ相違寸法に対応した一方の固定部を選択して、この固定部に同安定器の取着部を結合取着させることにより、簡単な作業で同交換に対応することができる。
【００１３】
本発明の請求項２記載の照明器具は、上記請求項１記載の照明器具において、一方の固定部を取着部がネジ止めされるものとなし、他方の固定部を取着部が引っ掛け係止されるものとなしたことを特徴としている。
【００１４】
したがって、この場合は特に、一方の固定部に取着部をネジ止め結合させる際に、他方の固定部に取着部を引っ掛け係止させて安定器を基板に対し仮保持させておくことができるので、同ネジ止め結合作業は容易となる。しかも、一方の固定部に取着部をネジ止め結合させた後には、この一方のネジ止めによる結合と他方の引っ掛け係止による結合とで、安定器が基板に対して安定した状態で取着保持され、又、同安定器を取り外す際には、一方だけでネジを弛める作業を行えばよく、安定器の交換作業がより手間を要しないものとなる。
【００１５】
本発明の請求項３記載の照明器具は、上記請求項２記載の照明器具において、ネジ止めされる方の固定部及びこの固定部に結合される取着部をいずれも貫通孔として形成し、両貫通孔となる取着部と固定部とに挿通される固定ネジによって、同取着部が固定部にネジ止めされるものとなしたことを特徴としている。
【００１６】
したがって、この場合は特に、両貫通孔となる取着部と固定部とに挿通される固定ネジによって、同取着部が固定部にネジ止めされるので、ネジ止めされる方の同固定部に対し取着部は位置合わせされて確実に結合固定される。
【００１７】
本発明の請求項４記載の照明器具は、上記請求項３記載の照明器具において、基板が金属板材料で形成されていて、ネジ止めされる方の固定部の貫通孔周縁にバーリング加工によって形成される筒状壁を基板の裏側へ突設し、取着部の貫通孔に表側から挿通される固定ネジをセルフタッピングネジで形成して、この固定ネジを前記筒状壁内にねじ込み挿通させることにより、同取着部が固定部にネジ止めされるものとなしたことを特徴としている。
【００１８】
したがって、この場合は特に、ネジ止めされる方の固定部がバーリング加工による筒状壁を有し、この筒状壁内に取着部の表側からセルフタッピングネジでなる固定ネジをねじ込み挿通させることにより、同取着部は固定部にネジ止めされるので、従来のように締付ナットを要さず、ネジ止め作業がより簡単となる。しかも、筒状壁は基板の裏側へ突設されていて邪魔にならず、従来のように、固定ボルト（或いは締付ナット）が同基板の裏側へ外れてしまうようなこともなくなり、これを同裏側からセットし直す必要もなくなって、安定器の交換作業は器具本体を天井等の施工個所から取り外すことなく簡単に行われる。
【００１９】
本発明の請求項５記載の照明器具は、上記請求項２〜４のいずれか一つに記載の照明器具において、基板が金属板材料で形成されていて、引っ掛け係止される方の固定部を基板に切り起こし加工を施して同基板の表側へ突出形成し、ネジ止めされる方の固定部を、種類の異なる安定器の長さ相違寸法に対応した所定間隔で複数にして一連に配設したことを特徴としている。
【００２０】
したがって、この場合は特に、引っ掛け係止される方の固定部が基板に切り起こし加工を施して簡単に形成され、その際、この固定部は同基板の表側へ突出されるが、この表側に突出する固定部は一か所だけでよくて邪魔にならず、ネジ止めされる方の固定部を複数配設することにより、異なる長さ寸法の安定器の交換に支障なく対応することができるようになっている。
【００２１】
本発明の請求項６記載の照明器具は、上記請求項５記載の照明器具において、引っ掛け係止される方の固定部を略Ｌ字状に突出形成し、この固定部に結合される取着部を安定器の長手方向端の裏側から突出される板材料で形成し、この取着部の先端部分が同固定部に挿入されて引っ掛け係止されるものとなしたことを特徴としている。
【００２２】
したがって、この場合は特に、基板の表側へ略Ｌ字状に突出する固定部に、安定器の長手方向端の裏側から突出された板材料でなる取着部の先端部分が挿入されて引っ掛け係止されるので、この引っ掛け係止作業は同基板の表側からこれに沿わせて簡単且つ確実に行われる。
【００２３】
本発明の請求項７記載の照明器具は、上記請求項６記載の照明器具において、引っ掛け係止する方の取着部を表側へ開口した略コ字型にして突出形成し、この取着部の両側壁間で当接規制されて略Ｌ字状の固定部が係合されるようになしたことを特徴としている。
【００２４】
したがって、この場合は特に、引っ掛け係止する方の取着部が表側へ開口した略コ字型にして突出形成され、略Ｌ字状の固定部は同取着部の両側壁間で当接規制されて係合されるので、この取着部を同固定部に対して横ズレなく位置決めされた状態で簡単且つ確実に引っ掛け係止させることができる。
【００２５】
本発明の請求項８記載の照明器具は、上記請求項７記載の照明器具において、引っ掛け係止される方の固定部を安定器の巾方向に切り起こし折曲させて形成し、この固定部を略コ字型に形成される取着部の両側壁各々に当接されるよう対にして配設し、両固定部を相互に内側へ傾斜させて突出形成すると共に、各固定部の取着部が摺接係止される略Ｌ字状内側縁をその先端側へと基板から離れるように傾斜させて形成したことを特徴としている。
【００２６】
したがって、この場合は特に、引っ掛け係止される方の固定部が略Ｌ字の板片状に形成されて略コ字型の取着部の両側壁に当接されるよう対に配設され、この両固定部は相互に内側へ傾斜され、各固定部の略Ｌ字状内側縁がその先端側へと基板から離れるように傾斜しているので、この両固定部に取着部を挿入して係止させている際に、各固定部の傾斜した略Ｌ字状内側縁は挿入される同取着部の先端部分に摺接係合し、これに伴って、両固定部は傾斜状態から直立状態へと変形されてこれによる復元力が同略Ｌ字状内側縁での係合部位に作用し、又、直立状態とされる両固定部は同取着部の両側壁に当接され易くなり、それ故、この取着部を同両固定部に対してガタツキなくより安定した状態で確実に引っ掛け係止させることができる。
【００２７】
【発明の実施の形態】
図１は、本発明の請求項１〜７に対応した第一の実施形態である照明器具を示す。この実施形態の照明器具は、安定器１の長手方向両端に取着部２を配設し、器具本体Ａの基板３には同安定器１の両取着部２各々が結合される固定部４を配設し、両固定部４に両取着部２を各々結合させて安定器１を基板３の表側に取着固定してなるものである。そして、この場合、基板３における両固定部４を結ぶ直線Ｌ上で一方の固定部４ａを、種類の異なる安定器１の長さ相違寸法に対応した所定間隔で複数にして一連に配設している。
【００２８】
又、この実施形態の照明器具では、一方の固定部４ａを取着部２ａがネジ止めされるものとなし、他方の固定部４ｂを取着部２ｂが引っ掛け係止されるものとなしている。そして、ネジ止めされる方の固定部４ａ及びこの固定部４ａに結合される取着部２ａをいずれも貫通孔として形成し、両貫通孔となる取着部２ａと固定部４ａとに挿通される固定ネジ５によって、同取着部２ａが固定部４ａにネジ止めされるものとなしている。この場合、基板３が金属板材料で形成されていて、ネジ止めされる方の固定部４ａの貫通孔周縁にバーリング加工によって形成される筒状壁６を基板３の裏側へ突設し、取着部２ａの貫通孔に表側から挿通される固定ネジ５をセルフタッピングネジで形成して、この固定ネジ５を前記筒状壁６内にねじ込み挿通させることにより、同取着部２ａが固定部４ａにネジ止めされるものとなしている。
【００２９】
又、この実施形態の照明器具では、基板３が金属板材料で形成されていて、引っ掛け係止される方の固定部４ｂを基板３に切り起こし加工を施して同基板３の表側へ突出形成し、ネジ止めされる方の固定部４ａを、種類の異なる安定器１の長さ相違寸法に対応した所定間隔で複数にして一連に配設している。そして、引っ掛け係止される方の固定部４ｂを略Ｌ字状に突出形成し、この固定部４ｂに結合される取着部２ｂを安定器１の長手方向端の裏側から突出される板材料で形成し、この取着部２ｂの先端部分が同固定部４ｂに挿入されて引っ掛け係止されるものとなしている。この場合、引っ掛け係止する方の取着部２ｂを表側へ開口した略コ字型にして突出形成し、この取着部２ｂの両側壁７間で当接規制されて略Ｌ字状の固定部４ｂが係合されるようになしている。
【００３０】
以下、この実施形態の照明器具を、より具体的に説明する。安定器１は断面略コ字型の金属製型材２１とその表側を覆うカバー部材２２とを有し、同金属製型材２１とカバー部材２２とで囲まれるスペースに安定器１となるための回路部品や配線等が内蔵されている。安定器１の長手方向両端ではカバー部材２２の端縁から金属製型材２１の端部が突出し、この突出した金属製型材２１の一方の端部にはその略コ字型の底板部分に貫通孔となるネジ止めする方の取着部２ａが形成され、同他方の端部は略コ字型で引っ掛け係止する方の取着部２ｂとなる。この場合、引っ掛け係止する方の取着部２ｂにも貫通孔が形成されており、これは、上記図６で示した従来の照明器具における安定器１を用いたためで、同取着部２ｂの貫通孔が本発明では不要となる。
【００３１】
基板３は後記器具本体Ａの中程平坦部分を構成するもので、鋼板等の金属板材料で形成されている。基板３にはその長手方向一方側に貫通孔となる固定部４ａが三つ配設され、同他方側には断面略Ｌ字状の固定部４ｂが一つだけ突出形成されている。この場合、貫通孔となる三つの固定部４ａは、この固定部４ａと他方の固定部４ｂの中央を結ぶ直線Ｌ上に略等間隔で配設されており、この間隔が種類の異なる安定器１の長さ相違寸法と対応している。又、各固定部４ａの貫通孔周縁には、図１（ｂ）に示す如く、バーリング加工によって形成される略円筒形状の筒状壁６が基板３の裏側へ突設されている。そして、前記安定器１の貫通孔となる取着部２ａに下方から挿通されるセルフタッピングネジで形成された固定ネジ５が、いずれか選択される一つの固定部４ａの筒状壁６内にねじ込み挿入される。
【００３２】
他方、引っ掛け係止される方の断面略Ｌ字状の固定部４ｂは、基板３に切り起こし加工を施すことによりその表側に突出形成されるもので、この固定部４ｂの巾方向寸法が前記安定器１の略コ字型に突出する取着部２ｂの両側壁７間の間隔寸法と略合致されている。この場合、断面略Ｌ字状の固定部４ｂに前記安定器１の取着部２ｂが基板３の表面に沿いスライドされてスムーズに挿入係止され、挿入係止された状態で、同取着部２ｂはその両側壁７間で固定部４ｂが当接規制され、横ズレなく位置決めされて確実に引っ掛け係止される。そして、この取着部２ｂが固定部４ｂに引っ掛け係止された状態、すなわち、安定器１の一端を基板３に仮保持させた状態で、前記固定ネジ５は取着部２ａに下方から挿通されて固定部４ａの筒状壁６内にねじ込み挿入される。
【００３３】
ところで、この実施形態の照明器具は、例えば、図２に示す如き構造としてその全体が施工されるものである。この場合、天井Ｂに略矩形状の取付用開口９が形成され、器具本体Ａは同取付用開口内９に埋め込まれた状態に施工される。取付用開口９内には吊り下げ用の取付ボルト１０が垂設されており、又、同取付用開口９からは外部配線である電源ケーブル１１が導出され、この電源ケーブル１１は器具本体Ａとなる基板３を貫通して端子台１３に接続される。そして、端子台１３から前記安定器１や後記ソケット１２へと電源供給される。
【００３４】
器具本体Ａは下方へ開口した略矩形箱状であり、その長手方向で相対向する両側内面に対のソケット１２が配設されており、同器具本体Ａの底板部分となる基板３の下面には前記安定器１が取着され、この安定器１と接続される端子台１３も同基板３の下面に取着されている。そして、器具本体Ａは前記取付用開口９に下方から嵌め込まれて施工されるもので、その際、同器具本体Ａの基板３に形成された取付孔１４に前記取付ボルト１０が挿通され、この取付ボルト１０には取付ナット１５が螺合され、この取付ナット１５をワッシャ１６を介し同基板３の下面に対して締め付けることにより、器具本体Ａは天井Ｂ内に埋め込み施工されて吊り下げ固定される。
【００３５】
更に、ここでは、基板３の表側に安定器１及び端子台１３を覆い隠すよう反射板１７を取り外し得るようにして取着し、この反射板１７よりも表側で照明ランプ１８を器具本体Ａに接続保持させている。この場合、反射板１７は断面略Ｖ字状に折曲した長板状に形成されており、基板３の中程部分にその長手方向に沿ってネジ止め等により取着固定されて、前記安定器１及び端子台１３等の電気部品や取付ボルト１０と取付ナット１５との螺合部位を覆い隠すものである。そして、反射板１７の両側各々では直管型の蛍光灯である照明ランプ１８が、前記器具本体Ａに配設されたソケット１２に接続保持されることによって装着される。
【００３６】
又、この実施形態の照明器具は、図３に示す如き構造としてその全体が施工されてもよい。この場合、器具本体Ａは矩形平板状の基板３で形成され、その両側に複数対の取着片１９が突設されている。又、反射板１７は下方へ開口した略矩形箱状に形成され、その底板部分の中程に断面略Ｖ字状に折曲された部分が形成されており、この断面略Ｖ字状に折曲した部分にて前記安定器１及び端子台１３等の電気部品や取付ボルト１０と取付ナット１５との螺合部位が覆い隠されるもので、同反射板１７は天井Ｂの取付用開口９に下方から嵌め込まれて器具本体Ａに取着固定されるものである。
【００３７】
その際、器具本体Ａとなる基板３の長手方向の両端部分各々で対にして垂設されるソケット１２が反射板１７を貫通してその下方に突設され、この状態で、同反射板１７は前記器具本体Ａの各取着片１９に対してツマミネジ２０で取着固定される。そして、反射板１７の下方に突設された各対のソケット１２に、照明ランプ１８が接続保持されることによって装着される。なお、それ以外の構造は、前記図２に示したものと同様であり、ここではその説明を省略する。
【００３８】
したがって、この実施形態の照明器具においては、安定器１が器具本体Ａの基板３の表側に取着固定されているため、同安定器１のメンテナンス作業を表側から反射板１７を取り外すだけで簡単に行うことができる。しかも、一方の固定部４ａが基板３における両固定部４を結ぶ直線Ｌ上で複数にして一連に配設され、同一方の各固定部４ａは種類の異なる安定器１の長さ相違寸法に対応した所定間隔で一連とされているので、種類が異なってその長さ寸法の相違した安定器１に交換する場合にも、この交換で更めて取り付けられる安定器１の長さ相違寸法に対応した一方の固定部４ａを選択して、この固定部４ａに同安定器１の取着部２ａを結合取着させることにより、簡単な作業で同交換に対応することができる。
【００３９】
又、この実施形態の照明器具においては、一方の固定部４ａに取着部２ａをネジ止め結合させる際に、他方の固定部４ｂに取着部２ｂを引っ掛け係止させて安定器１を基板３に対し仮保持させておくことができるので、同ネジ止め結合作業は一方だけで容易に行われる。しかも、一方の固定部４ａに取着部２ａをネジ止め結合させた後には、この一方のネジ止めによる結合と他方の引っ掛け係止による結合とにより、安定器１が基板３に対して安定した状態で取着保持される。又、安定器１を取り外す際には、一方だけでネジを弛める作業を行えばよく、同安定器１の交換作業がより手間を要しないものとなる。
【００４０】
又、この実施形態の照明器具においては、両貫通孔となる取着部２ａと固定部４ａとに挿通される固定ネジ５によって、同取着部２ａが固定部４ａにネジ止めされるので、ネジ止めされる方の同固定部４ａに対し取着部２ａは位置合わせされて確実に結合固定される。更に、この場合、ネジ止めされる方の固定部４ａがバーリング加工による筒状壁６を有し、この筒状壁６内に取着部２ａの表側からセルフタッピングネジでなる固定ネジ５をねじ込み挿通させることにより、同取着部２ａは固定部４ａにネジ止め固定されるので、従来のように締付ナット２４を必要とせず、同ネジ止め作業がより簡単となる。
【００４１】
しかも、筒状壁６は基板３の裏側へ突設されていて邪魔にならず、従来のように、固定ボルト２３（或いは締付ナット２４）が同基板３の裏側へ外れてしまうようなこともなくなり、これを同裏側からセットし直す必要もなくなって、安定器１の交換作業は器具本体Ａを天井Ｂ等の施工個所から取り外すことなく簡単に行われる。すなわち、器具本体Ａから反射板１７を取り外すだけで、天井Ｂ等に施工された状態のままの同器具本体Ａの基板３の表側から安定器１を容易に交換することができる。
【００４２】
又、この実施形態の照明器具においては、引っ掛け係止される方の固定部４ｂが金属板材料でなる基板３に切り起こし加工を施して簡単に形成され、その際、この固定部４ｂは同基板３の表側へ突出されるが、この表側に突出する固定部４ｂは同基板３において一か所だけでよく邪魔にならず、ネジ止めされる方の固定部４ａを複数配設することにより、異なる長さ寸法の安定器１の交換に支障なく対応することができるようになっている。
【００４３】
又、この場合、基板３の表側へ略Ｌ字状に突出する固定部４ｂに、安定器１の長手方向端の裏側から突出された金属板材料でなる取着部２ｂの先端部分が挿入されて引っ掛け係止されるので、この引っ掛け係止作業は同基板３の表側からこれに沿わせて簡単且つ確実に行われる。しかも、その際、引っ掛け係止する方の取着部２ｂが表側へ開口した略コ字型にして突出形成されており、略Ｌ字状の固定部４ｂは同取着部２ｂの両側壁７間で当接規制されて係合されるので、この取着部２ｂを同固定部４ｂに対して横ズレなく位置決めされた状態で簡単且つ確実に引っ掛け係止させることができる。
【００４４】
図４、５は、本発明の請求項１〜８全てに対応した第二の実施形態である照明器具を示す。この実施形態の照明器具では、図５（ｂ）に示す如く、引っ掛け係止される方の固定部４ｂを安定器１の巾方向Ｘに外側へ切り起こし折曲させて形成し、図４にも示す如く、この固定部４ｂを略コ字型に形成される取着部２ｂの両側壁７各々に当接されるよう対にして配設し、両固定部４ｂを相互に内側へ傾斜（傾斜角度β）させて突出形成すると共に、図５（ａ）に示す如く、各固定部４ｂの取着部２ｂが挿入されて摺接係止される略Ｌ字状内側縁８を、その先端側へと基板３から離れるように傾斜（傾斜角度α）させて形成している。
【００４５】
この場合、両固定部４ｂは略Ｌ字状で基板３の長手方向に沿った板片として形成され、その基板３と対向する略Ｌ字状内側縁８が傾斜角度αで傾斜されて、この略Ｌ字状内側縁８と同基板３との間に形成される溝状部は奥方程その溝巾寸法が巾狭となるように形成されており、同溝状部の奥端における溝巾寸法はこれに挿入係止される取着部２ｂの板厚寸法と略等しいか少し小さく設定され、同溝状部の開口端における溝巾寸法は同取着部２ｂの板厚寸法よりも少し大きく設定されている。そのため、両固定部４ｂが基板３から傾斜角度βで傾斜するように突出されていると、前記溝状部に取着部２ｂが挿入されてその略Ｌ字状内側縁８が同取着部２ｂの先端部分に摺接係合されることにより、両固定片４ｂは直立突出状態に近くなるよう徐々に変形される。
【００４６】
したがって、この実施形態の照明器具においては、引っ掛け係止される方の固定部４ｂが略Ｌ字の板片状に形成されて略コ字型の取着部２ｂの両側壁７に当接されるよう対に配設され、この両固定部４ｂは相互に内側へ傾斜され、各固定部４ｂの略Ｌ字状内側縁８がその先端側へと基板３から離れるように傾斜しているので、この両固定部４ｂに取着部２ｂを挿入して係止させている際に、各固定部４ｂの傾斜した略Ｌ字状内側縁８は挿入される同取着部２ｂの先端部分に摺接係合し、これに伴って、両固定部４ｂは傾斜状態から直立状態へと変形されてこれによる復元力が同略Ｌ字状内側縁８での係合部位に作用し、又、直立状態とされる両固定部４ｂは同取着部２ｂの両側壁７に当接され易くなって、この取着部２ｂを同両固定部４ｂに対してガタツキなくより安定した状態で確実に引っ掛け係止させることができる。
【００４７】
なお、それ以外については、上記第一の実施形態と同様に構成されており、同第一の実施形態におけると同様の作用効果が奏されるので、ここではそれ等の説明を省略する。又、照明器具全体の施工構造としても、上記図２、３のいずれの全体施工構造であってもよいものである。
【００４８】
【発明の効果】
上述の如く、本発明の請求項１記載の照明器具においては、安定器のメンテナンス作業を表側から行うことができ、種類が異なってその長さ寸法の相違した安定器に交換する場合にも、この交換で更めて取り付けられる安定器の長さ相違寸法に対応した一方の固定部を選択して、この固定部に同安定器の取着部を結合取着させることにより、簡単な作業で同交換に対応することができる。
【００４９】
又、本発明の請求項２記載の照明器具においては、特に、固定部に取着部を引っ掛け係止させて安定器を基板に対し仮保持させておくことができ、一方でのネジ止め結合作業は容易となる。しかも、ネジ止めによる結合と引っ掛け係止による結合とで安定器はその両側で基板に対し安定した状態で取着保持され、又、この安定器を取り外す際、ネジを弛める作業は一方だけでよく、同安定器の交換作業がより手間を要しないものとなる。
【００５０】
又、本発明の請求項３記載の照明器具においては、特に、両貫通孔となる取着部と固定部とに挿通される固定ネジによって、同取着部が固定部にネジ止めされて、ネジ止めされる方の同固定部に対し取着部は位置合わせされて確実に結合固定される。
【００５１】
又、本発明の請求項４記載の照明器具においては、特に、バーリング加工による筒状壁内にセルフタッピングネジでなる固定ネジがねじ込み挿通されて、取着部は固定部にネジ止めされ、従来のように締付ナットを要さず、ネジ止め作業がより簡単となる。しかも、筒状壁は邪魔にならず、固定ボルトや締付ナットが基板の裏側へ外れてしまうようなこともなく、これをセットし直す必要もなくなって、安定器の交換作業は器具本体を天井等の施工個所から取り外すことなく簡単に行われる。
【００５２】
又、本発明の請求項５記載の照明器具においては、特に、引っ掛け係止される方の固定部が切り起こし加工で簡単に形成され、その際、固定部は基板の表側へ突出されるが、同固定部は一か所だけでよくて邪魔にならず、ネジ止めされる方の固定部を複数配設することにより、異なる長さ寸法の安定器の交換に支障なく対応することができるようになっている。
【００５３】
又、本発明の請求項６記載の照明器具においては、特に、基板の表側へ略Ｌ字状に突出する固定部に、安定器の長手方向端の裏側から突出された板材料でなる取着部の先端部分が挿入されて引っ掛け係止され、この引っ掛け係止作業は同基板の表側からこれに沿わせて簡単且つ確実に行われる。
【００５４】
又、本発明の請求項７記載の照明器具においては、特に、引っ掛け係止する方の取着部が表側へ開口した略コ字型で、略Ｌ字状の固定部は同取着部の両側壁間で当接規制されて係合され、この取着部を同固定部に対して横ズレなく位置決めされた状態で簡単且つ確実に引っ掛け係止させることができる。
【００５５】
又、本発明の請求項８記載の照明器具においては、特に、固定部に取着部を挿入して係止させている際に、固定部の傾斜した略Ｌ字状内側縁が取着部の先端部分に摺接係合し、これに伴い、両固定部は傾斜状態から直立状態へと変形されてこれによる復元力が同略Ｌ字状内側縁での係合部位に作用し、しかも、直立状態とされる両固定部は取着部の両側壁に当接され易くて、同取着部を両固定部に対しガタツキなくより安定した状態で確実に引っ掛け係止させることができる。
【図面の簡単な説明】
【図１】本発明の第一の実施形態である照明器具の要部を示しており、（ａ）は分解斜視図、（ｂ）は基板に形成された一方の固定部の拡大断面図。
【図２】同照明器具の全体構造を例示する分解斜視図。
【図３】同照明器具の異なる全体構造を例示する分解斜視図。
【図４】本発明の第二の実施形態である照明器具の要部を示す分解斜視図。
【図５】同照明器具における基板に形成された他方の固定部を示しており、（ａ）は巾方向からみた側面図、（ｂ）は長手方向からみた側面図。
【図６】従来例である照明器具の要部を示す分解斜視図。
【図７】別の従来例である照明器具の全体構造を示す分解斜視図。
【符号の説明】
１  安定器
２  取着部
２ａ  ネジ止めする方の取着部
２ｂ  引っ掛け係止する方の取着部
３  基板
４  固定部
４ａ  ネジ止めされる方の固定部
４ｂ  引っ掛け係止される方の固定部
５  固定ネジ
６  筒状壁
７  側壁
８  略Ｌ字状内側縁
Ａ  器具本体
Ｌ  固定部を結ぶ直線
【図１】
2004234886.tif 000003
【図２】
2004234886.tif 000004
【図３】
2004234886.tif 000005
【図４】
2004234886.tif 000006
【図５】
2004234886.tif 000007
【図６】
2004234886.tif 000008
【図７】
2004234886.tif 000009